(57)【要約】【課題】調整設備が整わない状況においても、簡単な操作によって、誤った調整を防止することが可能な無線送信機及び送信電力調整方法を提供する。【解決手段】送信電力レベル制御手段を有する無線送信機において、送信電力増幅器に流入する電流値情報と送信電力レベル情報とをメモリに記憶しておき、再調整時に送信電力増幅器の電流と送信電力とを、メモリ内容と比較して、調整の良否を判断する。【選択図】図１
2008245058.tif 000002
【特許請求の範囲】
【請求項１】
出力レベルを制御する手段を有する送信電力増幅手段を備えた無線送信機において、所要送信チャネルの送信電力レベル調整状態において送信電力増幅手段に流入する電流値情報と送信電力レベル情報とを記憶したメモリ装置と、再調整時の送信電力増幅手段に流入する電流値情報及び送信電力レベル情報と前記メモリ装置から読み出した情報とを比較する手段と、この比較結果に基づいて再調整の良否を判断する調整良否判断手段とを備えたことを特徴とする無線送信機。
【請求項２】
請求項１記載の無線送信機において、更に、送信電力増幅手段の出力レベルを検出する送信電力レベル検出手段を備え、再調整の際に、前記送信電力レベル検出手段によって、前記メモリ装置に記録した電力レベル情報にほぼ一致するように自動的に前記送信電力増幅手段を制御するように構成したことを特徴とする無線送信機。
【請求項３】
請求項１又は２記載の無線送信機において、前記メモリ装置に記憶した電流値情報と送信電力レベル情報とに基づいて算出した当該送信電力増幅手段の増幅効率をメモリ装置に記憶しておき、再調整の際の送信電力増幅器に流入する電流値と出力電力とに基づいて算出した増幅効率と前記メモリ装置に記憶した値とを比較することによって、その時点の前記送信電力増幅手段の動作の良否を判定する自己診断手段を備えたことを特徴とする無線送信機。
【請求項４】
出力レベルを制御する手段を有する送信電力増幅手段と、所要送信チャネルの送信電力レベル調整状態における送信電力増幅手段に流入する電流値情報と送信電力レベル情報とを記憶したメモリ装置とを備えた無線送信機の調整方法において、再調整時に送信電力増幅手段に流入する電流値情報と送信電力レベル情報とを取得する処理と、前記メモリ装置に記憶した電流値情報と送信電力レベル情報とを読み出す処理と、前記両者の情報を比較する処理と、この比較結果に基づいて再調整時の送信電力増幅手段の動作の良否を判断する調整良否判断処理と、を含むことを特徴とする無線送信機の調整方法。
【請求項５】
請求項４記載の無線送信機の調整方法において、前記無線送信機が、更に、前記送信電力増幅手段の出力レベルを検出する送信電力レベル検出手段を備えたものであり、再調整の際に、前記送信電力レベル検出手段によって送信電力レベルを検出する処理と、前記メモリ装置に記録した電力レベル情報にほぼ一致するように自動的に前記送信電力増幅手段を制御する処理を含むことを特徴とする無線送信機の調整方法。
【請求項６】
請求項４又は５記載の無線送信機の調整方法であって、前記無線送信機が更に、メモリ装置に記憶した電流値情報と送信電力レベル情報とに基づいて算出した当該送信電力増幅手段の増幅効率をメモリ装置に記憶したものにおいて、再調整の時点における当該送信電力増幅器に流入する電流値と出力電力値とを検出する処理と、その検出結果に基づいて増幅効率を算出する処理と、前記記憶した増幅効率を読み出す処理と、該読み出した増幅効率とその時点の算出した増幅効率とを比較する処理と、その比較結果に基づいて、その時点の送信電力増幅手段の動作の良否を判定する自己診断処理と、を含むことを特徴とする無線送信機の調整方法。
【発明の詳細な説明】
【技術分野】
【０００１】
本発明は無線送信機及び送信電力調整手段に関し、詳細には、調整設備が整わない状況においても、誤った調整を防止することが可能な無線送信機及び送信電力調整方法に関する。
【背景技術】
【０００２】
無線通信機の送信機では、送信電力レベルが法規等に定められた値以上にならないように調整することが義務付けられている。そこで、無線送信機の工場出荷時の調整や、運用中の定期点検、故障修理時の再調整等においては、精密に送信電力の調整を行う必要がある。また、複数設けられた基地局や中継局あるいはレピータ局を介して、多数の移動無線局が通信を行うマルチチャネルアクセス方式の無線システムでは、基地局やレピータ局に到達する送信電力レベルがほぼ一定値になるように、移動局と基地局等との距離に応じて移動局側の送信電力を制御する（パワーコントロール）場合は、より正確に送信電力を制御する必要がある。このため、無線送信機には、送信電力レベルを監視・制御を行う手段として、自動電力制御機能（Automatic Power Control：ＡＰＣ）が備えられている場合が多い。
【０００３】
また、無線送信機の終段電力増幅器（Final Amplifier）とアンテナ装置等とのインピーダンスにミスマッチングを生じると、出力した高周波電力が不整合の程度に応じて送信機の終段電力増幅器に戻ってくる結果、終段電力増幅器を焼損することがある。従って、送信機の送信電力調整は可能な限り正確に行う必要がある。
そのための手段として、例えば特許文献１には、無線送信機の終段電力増幅器の送信電力を制御する信号をデジタル信号に変換し、そのデータを、無線送信に内蔵するＥＥＰＲＯＭ（Electrically Erasable Programmable Read-Only Memory）等に記憶しておき、送信機を起動する際に、メモリから読み出した制御信号に基づいて終段電力増幅器の出力を制御することによって、送信電力を一定に保つ送信電力調整方法及び送信電力調整装置が提案されている。
【特許文献１】特開２００４−１５３１９公報
【発明の開示】
【発明が解決しようとする課題】
【０００４】
しかしながら、従来の調整方法では、送信機の終段電力増幅器の調整を正確に行うためには高価な測定器を必要とし、また、簡易的な測定器による調整では、誤った調整に気がつかないことがあった。以下、このような従来の不具合について図面を参照しながら説明する。
図６は従来の無線送信機の調整方法を説明するための概要ブロック図である。図６において６０は、本発明に関連する部分のみを表示した無線送信機であって、例えば、４５０ＭＨz〜５２０ＭＨz帯のＵＨＦ（Ultra-High Frequency：極超短波）用の無線送信機の例を示している。この無線送信機は、搬送波発生源となるフェーズロックドループ回路（ＰＬＬ）、電圧発振回路（ＶＣＯ）、基準発振器としての温度補償水晶発振器（ＴＣＸＯ）を含む局部発振部６１と、前段増幅回路と終段電力増幅器６２とを含む送信電力増幅部（送信電力増幅手段）６３と、送受信切換えスイッチ６４と、アンテナフィルタ６５と、アンテナフィルタ６５から取り出した送信電力レベルに比例する信号により送信電力（送信電力増幅手段の出力）レベルを検出する送信電力検出部（ＰＷＲ検出部）６６と、その送信電力検出結果に基づいて、終段電力増幅器６２の利得を制御するＡＰＣ部６７と、このＡＰＣ部６７に制御信号を供給するデジタルアナログ変換器（Ｄ／Ａ）６８と、このＤ／Ａ６８に制御用のデジタル信号を供給するＣＰＵ６９と、後述するように各種の制御データを記憶したフラッシュメモリ７０とを備えている。
また、この無線送信機６０の送信機能を調整するための装置として、上記アンテナフィルタ６５が接続された同軸コネクタ７３を介して、５０Ω（場合によっては７５Ω）の同軸ケーブルによって高周波減衰器ＡＴＴが接続され、更に、減衰器ＡＴＴを経て高周波電力計７１と、パーソナルコンピュータ７２を含む測定装置等に接続された状態を示している。
【０００５】
この構成において、送信電力調整は、無線送信機６０を起動し、その出力レベルをＰＣ７２により読み取る。読み取られた送信電力レベル情報は無線送信機６０の内部のＣＰＵ６９に伝達される。ＣＰＵ６９では、送信電力レベルがプログラム等によって制御されて、送信電力値を制御するデジタル信号（ゲートバイアス電圧信号：ＧＢ信号）をＤ／Ａ６８を介してＡＰＣ部６７に供給し、送信電力増幅器６３の終段電力増幅器６２の増幅度を制御するように動作する。そこで、高周波電力計の表示が目的のレベルになるようにＰＣ７２を制御するが、無線送信機６０にＵＰ／ＤＯＷＮボタンやキーボード等の制御装置が付属する場合は、それらを操作して、所望レベルに調整してもよい。このようにして、必要な送信チャネルについて調整が行われると、夫々のチャネルに関して、所定の送信電力値となるような制御データ（ＧＢ信号）がフラッシュメモリ７０やＥＥＰＲＯＭ等のメモリ装置に記憶される。
【０００６】
なお、Ｄ／Ａ６８からＰＷＲ ControlとMax ＰＷＲ Controlの二つの制御信号を出力しているが、これは、例えば図７に示すようなＡＰＣ部６７の回路によって、上記ＣＰＵからの制御信号と、送信電力検出部６６からの電力レベル信号とによって、終段電力増幅器６２のレベルを制御する。即ち、ＰＷＲ Controlを最大値に設定した状態でMax ＰＷＲ Control信号電圧を調整して、最大送信電力を決定する。その後、ＰＷＲ Control信号の電圧を下げて目的とする送信電力に調整している。
しかし、このような電力増幅器の調整において、調整信号（ＧＢ信号）と実際の出力電力レベルは、温度等により大きく変動してしまうので、無線送信機内部で実際の送信電力増幅器の出力レベルを検出し、Ｄ／Ａ６８の出力と比較して、ＧＢ信号にフィードバックして調整する必要がある。
【０００７】
しかしながら、フィードバック信号の位相によっては、異常発振現象を発生することがあり、異常発振状態になると、極めて大きな妨害波信号が発生するので、近傍の通信システムに深刻な妨害を与えることになる。更に、通信帯域が広い無線送信機においては、送信電力増幅器は周波数特性をもつことが多く、そのため送信チャネルによって出力レベル差が発生するので、帯域の多数のポイントにおいて調整し、夫々のばらつきを加味した上で、適切な調整を行う必要がある等、かなり複雑な調整作業を伴うものであった。また、終段電力増幅器を交換すると、特性が以前のものと異なることが多いので、メモリ装置に記憶した制御データそのものでは、正確な制御が不可能な場合が多いので、高価な調整装置が整った環境での正確な調整作業を必要としていた。
【０００８】
このように従来の送信電力増幅器の調整は、専用の調整制御用のプログラムを搭載したＰＣを用いて、複雑な操作や作業が必要であったため、定期的なメンテナンスの際に調整していた。また、簡易的な測定機器によって送信機の終段電力増幅器の調整を行う場合、測定用同軸ケーブルのコネクタと無線送信機のコネクタとの締め付け具合が不完全なままで調整すると、正確な調整が行われないことがあった。この場合、ミスマッチング状態のまま使用すると、反射電力によって、送信電力増幅器を焼損する虞があった。万一、異常発振状態に気がつかないで運用した場合は、周囲の通信システムに深刻な妨害を与えることになるので、絶対に避けなければならない。
本発明は、このような従来の無線送信機の送信電力増幅器の調整に関する諸問題を解決するためになされたものであって、調整設備が整わない状況であっても、誤った調整を防止することが可能な無線送信機及び送信電力調整方法を提供することを目的としている。
【課題を解決するための手段】
【０００９】
本発明はかかる課題を解決するために、請求項１記載の発明は、出力レベルを制御する手段を有する送信電力増幅手段を備えた無線送信機において、所要送信チャネルの送信電力レベル調整状態における送信電力増幅手段に流入する電流値情報と送信電力レベル情報とを記憶したメモリ装置と、再調整時の送信電力増幅手段に流入する電流値情報と送信電力レベル情報と上記メモリ装置から読み出した情報とを比較する手段と、この比較結果に基づいて再調整の良否を判断する調整良否判断手段とを備えたことを特徴としている。
請求項２記載の発明では、請求項１記載の無線送信機において、更に、送信電力増幅手段の出力レベルを検出する送信電力レベル検出手段を備え、再調整の際に、その送信電力レベル検出手段によって、上記メモリ装置に記録した電力レベル情報にほぼ一致するように自動的に送信電力増幅手段を制御するように構成したことを特徴としている。
請求項３記載の発明は、請求項１又は２記載の無線送信機において、メモリ装置に記憶した電流値情報と送信電力レベル情報とに基づいて当該送信電力増幅手段の増幅効率を計算するかもしくはその計算結果をメモリ装置に記憶しておいた値と、再調整時に検出する当該送信電力増幅器に流入する電流値と出力電力とに基づいて算出した増幅効率とを比較することによって、その時点の送信電力増幅手段の動作の良否を判定する自己診断手段を備えたことを特徴としている。
【００１０】
請求項４乃至６記載の発明は、無線送信機の調整方法に関するもので、夫々、請求項１乃至３記載の無線送信機を、調整方法として構成したものである。
即ち、請求項４記載の無線送信機の調整方法は、出力レベルを制御する手段を有する送信電力増幅手段と、所要送信チャネルの送信電力レベル調整状態における送信電力増幅手段に流入する電流値情報と送信電力レベル情報とを記憶したメモリ装置とを備えた無線送信機の調整方法において、再調整時に送信電力増幅手段に流入する電流値情報と送信電力レベル情報とを取得する処理と、前記メモリ装置に記憶した電流値情報と送信電力レベル情報とを読み出す処理と、前記両者の情報を比較する処理と、この比較結果に基づいて再調整時の送信電力増幅手段の動作の良否を判断する調整良否判断処理と、を含むことを特徴とする。
請求項５記載の無線送信機の調整方法は、請求項４記載の無線送信機の調整方法において、その無線送信機が、更に、送信電力増幅手段の出力レベルを検出する送信電力レベル検出手段を備えたものであり、再調整の際に、送信電力レベル検出手段によって送信電力レベルを検出する処理と、前記メモリ装置に記録した電力レベル情報にほぼ一致するように自動的に前記送信電力増幅手段を制御する処理を含むことを特徴とする。
請求項６記載の発明は、請求項４又は５記載の無線送信機の調整方法であって、その無線送信機が、更に、メモリ装置に記憶した電流値情報と送信電力レベル情報とに基づいて算出した当該送信電力増幅手段の増幅効率をメモリ装置に記憶したものにおいて、再調整の時点における当該送信電力増幅器に流入する電流値と出力電力値とを検出する処理と、その検出結果に基づいて増幅効率を算出する処理と、記憶した増幅効率を読み出す処理と、この読み出した増幅効率とその時点の算出した増幅効率とを比較する処理と、その比較結果に基づいて、その時点の送信電力増幅手段の動作の良否を判定する自己診断処理と、を含むことを特徴とする。
【発明の効果】
【００１１】
本発明は上述したように構成するので、夫々次のような効果が得られる。即ち、請求項１記載の発明は、無線送信機において、送信電力増幅手段に流入する電流値情報と送信電力レベル情報とを記憶したメモリ装置を備え、再調整時に、その時点における実際の送信電力増幅手段の電流値情報と送信電力レベル情報とを、メモリ装置から読み出した情報と比較して、この比較結果に基づいて再調整の良否を判断するように構成したので、簡単な調整装置によって、ミスマッチング状態を把握可能となり、正確な調整が可能である。また異常発振状態の検知もできるので、深刻な電波妨害を未然に防止することが可能である。
請求項２記載の発明では、請求項１記載の無線送信機において、更に、送信電力増幅手段の出力レベルを検出する送信電力レベル検出手段を備え、再調整の際に、前記送信電力レベル検出手段によって、前記メモリ装置に記録した電力レベル情報にほぼ一致するように自動的に前記送信電力増幅手段を制御するように構成したので、請求項１記載の発明の効果に加えて、自動的に再調整を行うことが可能である。また、送信電力レベル検出手段を備えたことにより、送信電力増幅器等を交換した場合においても、実際の送信電力を検出することができるので、簡単な装置により調整可能である。
【００１２】
請求項３記載の発明は、請求項１又は２記載の無線送信機において、更に、送信電力増幅器の電流値情報と送信電力レベル情報とに基づき増幅効率情報を計算するとともに、その情報を調整の良否判断に利用するようにしたので、更に、簡単にしかも正確に調整を行うことが可能である。
請求項４乃至６記載の発明では、請求項１乃至３記載の発明を、無線送信機の調整方法として構成したので、これらの処理手順を実行するようにプログラムを作成することにより、ＣＰＵや所要のメモリを備えたコンピュータ機能を持った電子機器に、これらのソフトウエアをインストールすることによって、本発明が実現可能となり、同様の効果を得ることができる。
【発明を実施するための最良の形態】
【００１３】
以下、本発明を図示した実施形態を用いて詳細に説明する。但し、この実施形態に記載される構成要素、種類、組み合わせ、形状、その相対配置などは特定的な記載がない限り、この発明の範囲をそれのみに限定する主旨ではなく単なる説明例に過ぎない。
図１は、本発明の一実施形態例に係る無線送信機を示す概要ブロック図である。この例に示す無線送信機１は、上述の図６に示したものと、ほぼ同様に構成したものであるが、本発明においては、以下に詳述するように、終段電力増幅器への流入電流情報と、送信電力検出手段からの電力情報とを、ＣＰＵに供給する点が特徴的である。
即ち、図１は本発明に関連する部分のみを表示しているが、この例に示す無線送信機１０は、搬送波発生源となるフェーズロックドループ回路（ＰＬＬ）、電圧発振回路（ＶＣＯ）、基準発振器としての温度補償水晶発振器（ＴＣＸＯ）を含む局部発振部１１と、前段増幅回路と終段電力増幅器１２とを含む送信電力増幅部（送信電力増幅手段）１３と、送受信切換えスイッチ１４と、アンテナフィルタ１５と、アンテナフィルタ１５から取り出した送信電力レベルに比例する信号により送信電力（送信電力増幅手段の出力）レベルを検出する送信電力検出部（ＰＷＲ検出部）１６と、その送信電力検出結果に基づいて、終段電力増幅器１２の利得を制御するＡＰＣ部１７と、このＡＰＣ部１７に制御信号を供給するデジタルアナログ変換器（Ｄ／Ａ）１８と、このＤ／Ａ１８に制御用のデジタル信号を供給するＣＰＵ１９と、後述するように各種の制御データを記憶したフラッシュメモリ２０とを備えている。
【００１４】
また、この無線送信機１０の送信機能を調整するための装置として、上記アンテナフィルタ１５に接続された同軸コネクタ２３を介して、５０Ω（場合によっては７５Ω）の同軸ケーブルによって高周波減衰器ＡＴＴが接続され、更に、高周波減衰器ＡＴＴを経て高周波電力計２１と、パーソナルコンピュータ２２を含む測定装置等に接続されているのは、上述した図６と同様である。
本発明では、以上の構成の他に、更に、送信電力増幅部１３の終段電力増幅器１２への流入電流を検出する電流検出部２５と、送信電力検出部１６から導き出した出力電力信号２６と、これら二つのアナログ信号をデジタル信号に変変換してＣＰＵ１９に供給するアナログデジタル変換器（Ａ／Ｄ）２７を備えている。
【００１５】
図２は、以上の構成のように構成した無線送信機の工場出荷前等の調整の際の手順例を示すフローチャートである。
この例では、工場出荷時等における調整を「調整モード１」とし、その後の再調整を「調整モード２」として説明する。
図２は「調整モード１」の手順を示すもので、処理がスタートすると、無線送信機を「調整モード１」に設定する（Ｓ１）。無線送信機には、予め、以下に示す制御や動作を行うようにプログラムやデータが格納されており、制御部等からの指示に従って、必要なプログラムやメモリ内容が読み出されるものとする。その状態において、調整すべき送信チャネルを指定するとともに、そのチャネルにおいて無線送信機を起動させ、且つ、送信電力レベルを送信電力検出部１６により検出する（Ｓ２）。
検出した信号２６はＡ／Ｄ２７によりデジタル信号に変換してＣＰＵ１９に供給される（Ｓ３）。この処理によって得られる送信電力値をＣＰ１９にフィードバックし、目的とする出力値になるように自動的に、又は、ＰＣを操作して、あるいは無線送信機（のＣＰＵ）に付属したＵＰ／ＤＯＷＮキーボード等によって、ゲートバイアス信号（ＧＢ信号）を調整する（Ｓ３）。これらの処理によって目的とする送信電力に調整できたか否かを判断し、調整できなかった場合は（Ｓ４、Ｎｏ）、再びＳ３に戻って、調整を繰返す。（Ｓ３乃至Ｓ４）。
【００１６】
一方、Ｓ４において、目的とする送信電力に調整できれば（Ｓ４、Ｙｅｓ）そのときの制御信号パラメータ等をメモリ装置２０に記憶（Ｓ５）し、更に、送信電力値と、終段電力増幅器１２の流入電流を、電流検出部２５から読み出してメモリ装置２０に記憶する（Ｓ６）。なお、このときチャネル毎に調整情報を記憶する場合は、チャネル情報も一緒に付加する。これらの処理をチャネル毎に行う場合は、未調整チャネルの有無を判断し、残存する場合は（Ｓ７、Ｎｏ）、再びＳ２に戻って、Ｓ２乃至Ｓ７の処理を繰返し、必要なチャネル送信電力の調整が完了すれば（Ｓ７、Ｙｅｓ）、処理を終了する。
この調整によれば、メモリ装置２０には、目的とする送信電力に設定されたときの制御パラメータと、終段電力増幅器１２に流れる電流情報も一緒に記憶される。
【００１７】
図３は、本発明における「調整モード２」、即ち、工場出荷後の再調整時の処理手順例を示すフローチャートである。
この例では、処理がスタートすると無線送信機のＣＰＵ１９に「調整モード２」の指示を出すとともに、所要の送信チャネルにおいて送信機を起動する（Ｓ１０）。次に、送信電力を読み出し、所望の値になるように無線送信機１０の内部ＣＰＵにその時の送信電力値をフィードバックすることにより、自動的に、又は、ＣＰＵ１０に付属した図示を省略したＵＰ／ＤＯＷＮキーボード等によってゲートバイアス信号（ＧＢ信号）を調整する（Ｓ１１）。その結果、目的の送信電力値になったか否かを判断し、目的の送信電力値になっていない場合は（Ｓ１２、Ｎｏ）、再びＳ１１に戻って調整と判断を繰返す（Ｓ１１乃至Ｓ１２）。なお、この処理において、予め設定した回数の処理を繰返しても、目的とする送信電力値に調整できない場合は、調整不能と判断して、その旨を表示する等の処理を行って、次のチャネルに移行するフローを付加してもよい。
一方、Ｓ１２において、目的の送信電力値に調整ができた場合は（Ｓ１２、Ｙｅｓ）、その時の終段電力増幅器への流入電流情報を所要のワーキングメモリに記憶するとともに、メモリ装置２０に記憶されている工場出荷時の調整における電流情報を読み出して、Ｓ１２における電流情報と比較する（Ｓ１３）。
【００１８】
そして、その比較の結果、両者が予め設定した所定誤差の範囲内で一致するか否かを判断し、一致する場合は（Ｓ１４、Ｙｓｅ）、その時の電力値と電流値とをメモリ装置２０に書き込み（Ｓ１５、Ｙｅｓ）、次のＳ１６に移行して、未調整のチャネルが残存する場合は（Ｓ１６、Ｎｏ）、最初のＳ１０に戻って、上述した処理を繰返し（Ｓ１０乃至Ｓ１６）、必要なチャネルの調整が完了したらフローを終了する（Ｓ１６、Ｙｅｓ）。一方、Ｓ１４の判定において、電力値と電流値が一致しなかった場合は（Ｓ１４、Ｎｏ）、異常発振状態である場合や、大幅にかけ離れたインピーダンス状態である可能性があるので、どの程度の差異であるか、あるいは異常発振状態である場合の特徴等、例えば、電流値が異常に大きい場合や、電力値と電流値が異常にアンバランスである状態等の判断を行う。そしてコネクタ接続不良と考えられる状態では（Ｓ１７、Ｙｅｓ）、接続コネクタの再点検を行うように表示等で操作者に促し（Ｓ１８）、再調整処理が実行されて（Ｓ１９）、再びＳ１４を経てこの処理Ｓ１９に戻った場合は、異常として、この調整モードでの調整が不可能であると判断し、メンテナンスの必要性を報知して終了する（Ｓ２０）。また、Ｓ１９において、再調整が良好に完了した場合は、Ｓ１５に移行する（Ｓ１９、Ｙｅｓ）。なお、本発明の実施例の動作や制御は、図６及び図７に示したものと、ほぼ同様の部分が多いので、その説明を参照することができるので、既に説明した部分についての重複する説明は省略する。
このように本発明では、工場出荷調整等の調整装置が整った状態での電流値やその他の検出情報をメモリ装置に記憶しておき、その後の再調整時に、必要な検出情報とメモリ装置から読み出した調整データとを比較しながら調整の良否を判断するようにしたものであるので、正確な調整が可能であり、また異常発振状態の発見も容易である。
【００１９】
以上、本発明の一例について説明したが、この例に限ることなく他のシステムへの適用や、種々変形が可能であることは云うまでもない。
例えば、出力電力と電力増幅器への流入電流を検出するので、既知である電圧情報との演算で、電力増幅器の増幅効率が求まることから、これら増幅効率も調整データの一つに加えることも可能である。特に、アンテナフィルタや高周波電力増幅器の入力段、出力段のインピーダンス調整によって、大きく増幅効率が変動する傾向があるが、最も好ましい調整状態では、電力効率（増幅効率）が最も高い状態であることが多い。従って、電力効率（増幅効率）を監視することによって、最適な調整状態に制御することが可能である。
この方法によれば、電力増幅器を交換した場合であっても、「調整モード１」においてメモリ装置に記憶したデータが使用できる同様の設計に基づくものであれば、上述した「調整モード２」の手順に従って調整が可能である。本発明において、このような効果が得られる理由は、ある特定の条件（同様の設計に係る電力増幅器）において、同一の出力電力が得られるときの消費電流や増幅効率は、ほぼ同一の値になるとの技術的な現象を利用したものである。なお、電力効率を正確に検出する際は、設計上の終端インピーダンス（負荷抵抗）を５０Ω等に正確に設定することが好ましいので、送信電力増幅器の出力端（アンテナ端子）を５０ΩのＡＴＴで終端した状態で行う。
【００２０】
更に、本発明のように、正確な調整データを記憶しておき、それに基づいて再調整する機能を備えれば、例えば、使用者が異なる設計に基づく電力増幅器に交換した場合は、「調整モード２」において正確な調整ができず、調整不可能となるので、不法改造等を防止する効果も得られるであろう。
また、他の変形実施例としては、図１のアンテナフィルタ１５の構成を、例えば、図４に示したようにコイルＬとその両端に接続した二組のコンデンサＣと可変容量ダイオードＶＣ直列回路からなπ型フィルタ構成にすれば、それらの可変容量ダイオードＶＣの電圧を制御することによって、フィルタ特性や、入出力のインピーダンスを変化させることが可能であるので、送信電力増幅器とのインピーダンスマッチング状態を微細に調整することができる。また、その他、送信機の電力増幅器周辺の回路を電流や電圧で制御可能なもの、あるいは、ステッピングモータの回転等、機械的な調整手段によって何等かの調整を行うものであっても、ＣＰＵによる調整が可能であるから利用できる。従って、これらの制御データを「調整モード１」において、メモリ装置に記憶しておき、「調整モード２」においてそれらを読み出して再調整を行えば、更に、正確な調整が可能であろう。
【００２１】
更に、図５に示したような、特許文献１に開示されている送信電力の自動調整方法も、本発明に利用することが可能である。即ち、送信機の終段電力増幅器３１の内部に、出力の一部をダイオード等により整流して取り出す手段を備えることによって、送信電力情報を得るようにしてもよい。そして、その出力電力情報をＡ／Ｄ３２を介して処理部３３に供給し、ＥＥＰＲＯＭ３４に記憶された制御情報と比較する。そしてその結果が、目標レベルより大きいか、小さいかに基づいて、制御信号を生成し、Ｄ／Ａ３５を介してレベル可変機能を備えた前段増幅器３６を制御することによって、終段電力増幅器３１の出力が目的値になるように自動的に制御するものである。
【００２２】
また、本発明の無線送信機の調整方法をコンピュータが制御可能なＯＳに従ってプログラミングすることにより、そのＯＳを備えたコンピュータであれば同じ処理方法により制御することができる。更に、調整手順を盛り込んだプログラムをコンピュータが読み取り可能な形式で記録媒体に記録し、この記録媒体を持ち運び可能にすることにより、何処でもプログラムを稼動することができる。なお、プログラムを格納する記録媒体としては半導体媒体（例えば、ＲＯＭ、不揮発性メモリカード等）、光媒体（例えば、ＤＶＤ、ＭＯ、ＭＤ、ＣＤ等）、磁気媒体（例えば、磁気テープ、フレキシブルディスク等）等のいずれであってもよい。
【図面の簡単な説明】
【００２３】
【図１】本発明に係る無線送信機の一例を示す概要ブロック図。
【図２】本発明に係る無線送信機の調整方法の一例を示すフローチャート。
【図３】本発明に係る無線送信機の調整方法の他の一例を示すフローチャート。
【図４】本発明に係る無線送信機の他の一例を示す概要ブロック図。
【図５】本発明に係る無線送信機の他の一例を示す概要ブロック図。
【図６】従来の無線送信機の一例を示す概要ブロック図。
【図７】従来の無線送信機の他の一例を示す概要ブロック図。
【符号の説明】
【００２４】
１０  無線送信機、１１  局部発振器、１２  終段電力増幅器、１３  電力増幅器、１５  アンテナフィルタ、１６  送信電力検出部、１７  ＡＰＣ部、１８、３０  Ｄ／Ａ（デジタルアナログ変換器）、１９  ＣＰＵ、２０  メモリ装置、２１  高周波電力計、２２  ＰＣ、２３  同軸コネクタ、２５  電流検出部、２７  Ａ／Ｄ（アナログデジタル変換器）、ＦＭ検波器、２  Ｉ＆Ｄフィルタ、３  減算器、４  フレーム同期相関器、１００  フレーム同期ワード判定装置
【図１】
2008245058.tif 000003
【図２】
2008245058.tif 000004
【図３】
2008245058.tif 000005
【図４】
2008245058.tif 000006
【図５】
2008245058.tif 000007
【図６】
2008245058.tif 000008
【図７】
2008245058.tif 000009